(57)【要約】【課題】制御手段の不正対策に優れ、制御手段の取り出しの利便性を確保できる遊技機を提供する。【解決手段】主制御基板４００は、接続ケーブルのコネクタが接続可能なコネクタ４０２を備え、上ケース４１０はその内部に収納された主制御基板４００のコネクタ４０２に対応する箇所に、接続ケーブルのコネクタが挿入可能な挿入開口部４１２を備え、主制御基板４００のコネクタ４０２が挿入可能な開口部４４２を有し、かつ開口部４４２にコネクタ４０２を挿入させた状態でコネクタ４０２の外周に当接する当接部４４４を設けた取付部材４４０を備えているので、コネクタ４０２の外周を当接部４４４で隙間無く覆うことができ、主制御基板４００に対する不正行為を防止することができ、上ケース４１０と下ケース４２０からの主制御基板４００の取り出しも簡単に行うことができる。【選択図】図７
2014223473.tif 000002
【特許請求の範囲】
【請求項１】
遊技に関する制御を行う制御装置を備えた遊技機において、
前記制御装置は、
接続ケーブルの接続部が接続されるコネクタと、所定の電気部品とが前面に搭載された制御基板と、
該制御基板を収容する部材であって、前記コネクタを外部に露出させるコネクタ露出部が形成されており前記制御基板の前面側に位置する前側部材と、前記制御基板の後面側に位置する後側部材とを有する基板ボックスと、
該基板ボックスの前記前側部材と前記制御基板との間に配置される部材であって、前記制御基板の前面のうち前記前側部材のコネクタ露出部に臨む領域を覆う覆い部と、該覆い部に対し前記コネクタの外形に倣う形状に形成され前記コネクタが挿入される開口部と、第１係合部とを有する取付部材と、
該取付部材の第１係合部に係合する第２係合部を有する部材であって、前記後側部材に形成された空間に収納される阻止部材とを備え、
前記第１及び第２係合部を係合させることにより前記制御装置が封印状態とされることを特徴とする遊技機。
【発明の詳細な説明】
【技術分野】
【０００１】
この発明は、パチンコ機やスロットマシン等の遊技機に関する。
【背景技術】
【０００２】
従来、遊技機の代表例として例えばパチンコ機がある。このパチンコ機は、例えば、当該パチンコ機を制御する制御基板を基板ケースの中に収納することで、制御基板に対する不正行為の防止を図ろうとしているものがある。また、このパチンコ機は遊技球が打ち込まれる遊技領域を備えており、遊技盤には遊技球が入賞可能な各種の入賞装置が配設されている。遊技球が入賞装置に入賞すると、この入賞装置に設けられた入賞検出センサで当該入賞を検出し、この検出信号が制御基板に出力され、制御基板はこの検出信号に基づいて所定の処理（例えば、表示装置に図柄を変動表示させることに関する処理や、賞球払出しに関する処理など）を行うようになっている。（例えば、特許文献１参照）。
【先行技術文献】
【特許文献】
【０００３】
【特許文献１】特開平９−７００号公報（第３−４頁，第１図）
【発明の概要】
【発明が解決しようとする課題】
【０００４】
しかしながら、このような構成を有する従来例の場合には、次のような問題がある。
すなわち、従来のパチンコ機では、例えば、制御基板（制御手段）には、入賞装置の入賞検出センサと接続するためのコネクタが実装されており、制御基板が基板ケース中に収納された状態でこの制御基板と入賞検出センサとが接続可能となるように、基板ケースの対応する箇所には、少なくとも入賞検出センサ側のコネクタが挿入可能な大きさの開口部が形成されている。この基板ケースの開口部と入賞検出センサ側のコネクタとの間はそれらのクリアランスの関係上どうしても隙間が生じてしまい、この隙間を完全に無くすことは無理である。基板ケース中に収納された制御基板と入賞検出センサとが接続された状態で、基板ケースの開口部を硬化材料で固めて封止することで、基板ケースの開口部の僅かな隙間を無くし、基板ケースの開口部の僅かな隙間から当該ケース内の制御基板に不正にアクセスすることによる不正行為を防止することが考えられるが、そのようにすると、正当使用者が何らかの事情で基板ケースを開けて制御基板を取り出そうとしても、制御基板のコネクタ部分を破壊したり、基板ケースの開口部を破壊したりしなければそうすることができず、非常に不便となるという問題がある。
【０００５】
本発明は、このような事情に鑑みてなされたものであって、制御手段に対する不正対策に優れ、かつ、制御手段の取り出しの利便性を確保できる遊技機を提供することを目的とする。
【課題を解決するための手段】
【０００６】
この発明は、このような目的を達成するために、次のような構成をとる。
すなわち、請求項１に記載の発明は、
遊技に関する制御を行う制御装置を備えた遊技機において、
前記制御装置は、
接続ケーブルの接続部が接続されるコネクタと、所定の電気部品とが前面に搭載された制御基板と、
該制御基板を収容する部材であって、前記コネクタを外部に露出させるコネクタ露出部が形成されており前記制御基板の前面側に位置する前側部材と、前記制御基板の後面側に位置する後側部材とを有する基板ボックスと、
該基板ボックスの前記前側部材と前記制御基板との間に配置される部材であって、前記制御基板の前面のうち前記前側部材のコネクタ露出部に臨む領域を覆う覆い部と、該覆い部に対し前記コネクタの外形に倣う形状に形成され前記コネクタが挿入される開口部と、第１係合部とを有する取付部材と、
該取付部材の第１係合部に係合する第２係合部を有する部材であって、前記後側部材に形成された空間に収納される阻止部材とを備え、
前記第１及び第２係合部を係合させることにより前記制御装置が封印状態とされる
ことを特徴とするものである。
【０００７】
［作用・効果］請求項１に記載の発明によれば、遊技に関する制御を行う制御装置は、接続ケーブルの接続部が接続されるコネクタと、所定の電気部品とが前面に搭載された制御基板と、制御基板を収容する部材であって、コネクタを外部に露出させるコネクタ露出部が形成されており制御基板の前面側に位置する前側部材と、制御基板の後面側に位置する後側部材とを有する基板ボックスと、基板ボックスの前側部材と制御基板との間に配置される部材であって、制御基板の前面のうち前側部材のコネクタ露出部に臨む領域を覆う覆い部と、該覆い部に対し前記コネクタの外形に倣う形状に形成され前記コネクタが挿入される開口部と、第１係合部とを有する取付部材と、該取付部材の第１係合部に係合する第２係合部を有する部材であって、後側部材に形成された空間に収納される阻止部材とを備え、第１及び第２係合部を係合させることにより制御装置が封印状態とされる。したがって、制御手段に対する不正対策に優れ、かつ、制御手段の取り出しの利便性を確保できる遊技機を提供できる。
【発明の効果】
【０００８】
この発明に係る遊技機によれば、遊技に関する制御を行う制御装置は、接続ケーブルの接続部が接続されるコネクタと、所定の電気部品とが前面に搭載された制御基板と、制御基板を収容する部材であって、コネクタを外部に露出させるコネクタ露出部が形成されており制御基板の前面側に位置する前側部材と、制御基板の後面側に位置する後側部材とを有する基板ボックスと、基板ボックスの前側部材と制御基板との間に配置される部材であって、制御基板の前面のうち前側部材のコネクタ露出部に臨む領域を覆う覆い部と、該覆い部に対し前記コネクタの外形に倣う形状に形成され前記コネクタが挿入される開口部と、第１係合部とを有する取付部材と、該取付部材の第１係合部に係合する第２係合部を有する部材であって、後側部材に形成された空間に収納される阻止部材とを備え、第１及び第２係合部を係合させることにより制御装置が封印状態とされる。したがって、制御手段に対する不正対策に優れ、かつ、制御手段の取り出しの利便性を確保できる遊技機を提供できる。
【図面の簡単な説明】
【０００９】
【図１】本発明の実施例のパチンコ機の概略正面図である。
【図２】内枠及び前面枠セットを開放した状態のパチンコ機を示す斜視図である。
【図３】前面枠セットを開放した状態における内枠等を示す正面図である。
【図４】遊技盤の構成を示す正面図である。
【図５】パチンコ機の電気的構成を示すブロック図である。
【図６】第１図柄表示装置の表示内容を示す説明図である。
【図７】主制御装置の構成を示す分解斜視図である。
【図８】作動口スイッチが接続される主制御装置の斜視図である。
【図９】上下ケースの閉じる前の状態を示す斜視図である。
【図１０】取付部材を取り付けた状態の主制御基板の斜視図である。
【図１１】取付部材の斜視図である。
【図１２】下ケースの斜視図である。
【図１３】取付部材と上ケースとを示す斜視図である。
【図１４】下ケースに取付部材が位置している様子を示す斜視図である。
【図１５】（ａ）は図１０に示したＡ−Ａ線断面図であり、（ｂ）は取付部材を主制御基板に取り付ける際の主制御基板のコネクタと取付部材の開口部などを示す断面図である。
【図１６】封入維持部の破壊後状態を示す図である。
【図１７】（ａ）は変形例の要部線断面図であり、（ｂ）は取付部材を主制御基板に取り付ける際の主制御基板のコネクタと取付部材の開口部などを示す断面図である。
【図１８】（ａ）は先細り壁部とした当接部の概略斜視図、（ｂ）は（ａ）に示した当接部の開口部に主制御基板のコネクタを挿入した状態の断面図、（ｃ）は（ｂ）に示した当接部を備えた取付部材を主制御基板のコネクタを挿入する際の様子を示す説明図である。
【図１９】取付部材の開口部と主制御基板のコネクタとの間に硬化材料を充填して硬化させた様子を示す断面図である。
【発明を実施するための形態】
【００１０】
本明細書は、次のような遊技機に係る発明も開示している。
【００１１】
（１）  請求項１に記載の遊技機において、
前記制御手段の前記接続部の外周には所定の周回凹部が形成され、
前記当接部は、前記取付部材から立設された、前記制御手段の前記接続部の外周を囲うような壁部と、前記壁部の内周側に形成された、前記接続部の外周の前記周回凹部に嵌合する周回凸部とを備えている
ことを特徴とする遊技機。
【００１２】
前記（１）に記載の発明によれば、制御手段の接続部の外周には所定の周回凹部が形成されている。当接部は、取付部材から立設された、制御手段の接続部の外周を囲うような壁部と、この壁部の内周側に形成された、接続部の外周の周回凹部に嵌合する周回凸部とを備えている。したがって、制御手段に取り付けられた取付部材は、その当接部が制御手段の接続部の外周に当接させた状態とすることができる。つまり、当接部たる壁部の内周側でその内周側を一周する周回凸部が、制御手段の接続部の外周でその外周回りを一周する周回凹部に嵌合された状態となるので、制御手段の接続部の外周を取付部材の当接部で隙間無く覆うことができ、被包手段内に収納された制御手段に不正にアクセスすることが困難となり、制御手段に対する不正行為を防止することができる。しかも、被包手段の挿入開口部や制御手段の接続部などを硬化材料で固めて封止するようなことはしないので、被包手段からの制御手段の取り出しも簡単に行うことができるし、何らかの部品を破壊するようなこともない。その結果、制御手段に対する不正対策に優れ、かつ、制御手段の取り出しの利便性を確保できる遊技機を提供できる。
【００１３】
（２）  請求項１に記載の遊技機において、
前記制御手段の前記接続部の外周には所定の周回凸部が形成され、
前記当接部は、前記取付部材から立設された、前記制御手段の前記接続部の外周を囲うような壁部と、前記壁部の内周側に形成された、前記接続部の外周の前記周回凸部に嵌合する周回凹部とを備えている
ことを特徴とする遊技機。
【００１４】
前記（２）に記載の発明によれば、制御手段の接続部の外周には所定の周回凸部が形成されている。当接部は、取付部材から立設された、制御手段の接続部の外周を囲うような壁部と、この壁部の内周側に形成された、接続部の外周の周回凸部に嵌合する周回凹部とを備えている。したがって、制御手段に取り付けられた取付部材は、その当接部が制御手段の接続部の外周に当接させた状態とすることができる。つまり、当接部たる壁部の内周側でその内周側を一周する周回凹部が、制御手段の接続部の外周でその外周回りを一周する周回凸部に嵌合された状態となるので、制御手段の接続部の外周を取付部材の当接部で隙間無く覆うことができ、被包手段内に収納された制御手段に不正にアクセスすることが困難となり、制御手段に対する不正行為を防止することができる。しかも、被包手段の挿入開口部や制御手段の接続部などを硬化材料で固めて封止するようなことはしないので、被包手段からの制御手段の取り出しも簡単に行うことができるし、何らかの部品を破壊するようなこともない。その結果、制御手段に対する不正対策に優れ、かつ、制御手段の取り出しの利便性を確保できる遊技機を提供できる。
【００１５】
（３）  請求項１に記載の遊技機において、
前記当接部は、前記取付部材から先細りとなるように立設された、前記制御手段の前記接続部の外周を囲うような壁部を備えている
ことを特徴とする遊技機。
【００１６】
前記（３）に記載の発明によれば、当接部は、取付部材から先細りとなるように立設された、制御手段の接続部の外周を囲うような壁部を備えている。したがって、制御手段に取り付けられた取付部材は、その当接部が制御手段の接続部の外周に当接させた状態とすることができる。つまり、当接部たる先細りの壁部の内周側が、制御手段の接続部の外周に当接した状態となるので、制御手段の接続部の外周を取付部材の当接部で隙間無く覆うことができ、被包手段内に収納された制御手段に不正にアクセスすることが困難となり、制御手段に対する不正行為を防止することができる。しかも、被包手段の挿入開口部や制御手段の接続部などを硬化材料で固めて封止するようなことはしないので、被包手段からの制御手段の取り出しも簡単に行うことができるし、何らかの部品を破壊するようなこともない。その結果、制御手段に対する不正対策に優れ、かつ、制御手段の取り出しの利便性を確保できる遊技機を提供できる。
【００１７】
（４）  遊技用媒体を用いて遊技を行う遊技機において、
当該遊技機についての少なくとも一部の機能を制御する制御手段と、
前記制御手段を被包する被包手段と、
前記制御手段とは別体で、当該制御手段に接続ケーブルを介して電気的に接続される被対象品と、
を備え、
前記制御手段は、前記接続ケーブルの前記制御手段側のコネクタが接続可能な接続部を備え、
前記被包手段は、当該被包手段の内部に収納された状態における前記制御手段の前記接続部に対応する箇所に、前記接続ケーブルの前記制御手段側のコネクタが挿入可能な挿入開口部を備え、
前記制御手段における前記接続部を含む所定領域に取り付けられる部材であって、前記制御手段の前記接続部が挿入可能な開口部を有する取付部材を備え、
前記取付部材の前記開口部と前記制御手段の前記接続部との間に硬化材料を充填して硬化させている
ことを特徴とするものである。
【００１８】
前記（４）に記載の発明によれば、制御手段は、遊技機についての少なくとも一部の機能を制御するものであり、被包手段は制御手段を被包するものであり、被対象品は、制御手段とは別体で、当該制御手段に接続ケーブルを介して電気的に接続されるものである。制御手段は、接続ケーブルの制御手段側のコネクタが接続可能な接続部を備えている。被包手段は、当該被包手段の内部に収納された状態における制御手段の接続部に対応する箇所に、接続ケーブルの制御手段側のコネクタが挿入可能な挿入開口部を備えている。取付部材は、制御手段における接続部を含む所定領域に取り付けられる部材であって、制御手段の接続部が挿入可能な開口部を有している。取付部材の開口部と制御手段の接続部との間には、硬化材料が充填されて硬化されている、したがって、制御手段に取り付けられた取付部材の開口部と制御手段の接続部の外周との間には、硬化材料が充填硬化されているので、制御手段の接続部の外周を硬化材料で隙間無く覆うことができ、被包手段内に収納された制御手段に不正にアクセスすることが困難となり、制御手段に対する不正行為を防止することができる。しかも、被包手段の挿入開口部などを硬化材料で固めて封止するようなことはしないので、被包手段からの制御手段の取り出しも簡単に行うことができるし、何らかの部品を破壊するようなこともない。その結果、制御手段に対する不正対策に優れ、かつ、制御手段の取り出しの利便性を確保できる遊技機を提供できる。
【００１９】
（５）  請求項１に記載の遊技機、または、前記（１）から（４）のいずれか一つに記載の遊技機において、
さらに、前記取付部材は、当該取付部材が取り付けられた前記制御手段が何れの遊技機の種類のものかを識別するための認識情報を視認可能に形成した認識手段を備えている
ことを特徴とする遊技機。
【００２０】
前記（５）に記載の発明によれば、認識手段は、取付部材に設けられており、当該取付部材が取り付けられた制御手段が何れの遊技機の種類のものかを識別するための認識情報を視認可能に形成されたものである。したがって、取付部材の認識手段を見ることで、制御手段が何れの遊技機の種類のものであるかを知ることができ、種類の異なる遊技機に誤って制御手段が取り付けられることを低減できる。
【００２１】
（６）  前記（５）に記載の遊技機において、
前記認識手段は、前記取付部材に一体的に形成されたものであることを特徴とする遊技機。
【００２２】
前記（６）に記載の発明によれば、認識手段は、取付部材に一体的に形成されたものである。したがって、取付部材に対して認識手段を取り替えることを困難にでき、取付部材に対して認識手段を入れ替えるという不正行為を低減できる。
【００２３】
（７）  前記（５）または（６）に記載の遊技機において、
前記認識手段は透明部材としていることを特徴とする遊技機。
【００２４】
前記（７）に記載の発明によれば、認識手段は透明部材としているので、この認識手段の裏面側に位置する制御手段の所定領域も見ることができる。つまり、透明な認識手段としているので、その背後に位置する制御手段の所定部分も見ることができ、認識手段の背後側に不正行為を行うことが困難となり、不正行為を低減できる。
【００２５】
（８）  請求項１に記載の遊技機、または、前記（１）から（７）のいずれか一つに記載の遊技機において、
前記被包手段は、その内部に前記制御手段を封入した状態を維持する封入維持手段を備え、
前記封入維持手段は、その所定箇所が破壊されることで前記被包手段の開封が可能となり、かつ、当該破壊の痕跡が残るものである
ことを特徴とする遊技機。
【００２６】
前記（８）に記載の発明によれば、被包手段に備えられた封入維持手段によって、被包手段の内部に制御手段を封入した状態が維持される。封入維持手段は、その所定箇所が破壊されることで被包手段の開封が可能となり、かつ、当該破壊の痕跡が残るものである。したがって、封入維持手段の所定箇所を破壊しなければ被包手段を開封することができないので、制御手段に対する不正行為を低減できる。また、封入維持手段の所定箇所を破壊して被包手段を開封し、この被包手段内に収納されていた制御手段に不正行為を行ったとしても、当該破壊の痕跡に基づいて不正行為があったことやそのおそれを知ることができ、制御手段に対する不正行為を低減できる。
【００２７】
（９）  前記（８）に記載の遊技機において、
前記被包手段は、第１ケースと第２ケースとを備え、前記第１ケースと前記第２ケースとを取り付けた状態でそれらによって形成される内部空間に前記制御手段を収納可能とするものであり、
前記取付部材は、返り部が所定箇所に形成された突出棒を備え、
前記取付部材が取り付けられた前記制御手段は、前記第１ケースと前記第２ケースとのうちの一方に取り付けられ、
前記第１ケースと前記第２ケースとのうちのその他方には、前記突出棒が嵌入され、かつ、前記返り部の戻りを阻止する阻止部を有する嵌入部が備えられ、
前記第１ケースまたは前記第２ケースの一方、あるいは前記第１ケースおよび前記第２ケースの両方によって、前記嵌入部を覆う外囲部を構成し、
前記封入維持手段は、前記突出棒と前記嵌入部と前記外囲部とで構成されている
ことを特徴とする遊技機。
【００２８】
前記（９）に記載の発明によれば、被包手段は、第１ケースと第２ケースとを備え、第１ケースと第２ケースとを取り付けた状態でそれらによって形成される内部空間に制御手段が収納される。取付部材は、返り部が所定箇所に形成された突出棒を備え、取付部材が取り付けられた制御手段は、第１ケースと第２ケースとのうちの一方に取り付けられている。第１ケースと第２ケースとのうちのその他方には、突出棒が嵌入され、かつ、返り部の戻りを阻止する阻止部を有する嵌入部を備えている。第１ケースまたは第２ケースの一方、あるいは第１ケースおよび第２ケースの両方によって、嵌入部を覆う外囲部を構成している。封入維持手段は、突出棒と嵌入部と外囲部とで構成されている。したがって、封入維持手段の外囲部を破壊しなければ被包手段を開封することができないので、制御手段に対する不正行為を低減できる。また、封入維持手段の外囲部を破壊して被包手段を開封し、この被包手段内に収納されていた制御手段に不正行為を行ったとしても、当該破壊の痕跡に基づいて不正行為があったことやそのおそれを知ることができ、制御手段に対する不正行為を低減できる。
【００２９】
（１０）  請求項１に記載の遊技機、または、前記（１）から（９）のいずれか一つに記載の遊技機において、
前記遊技機はパチンコ機であることを特徴とする遊技機。
【００３０】
前記（１０）に記載の遊技機によれば、遊技盤自体を拡大することなく遊技領域を拡大したパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３１】
以下、パチンコ遊技機（以下、単に「パチンコ機」という）の一実施の形態を、図面に基づいて詳細に説明する。図１はパチンコ機１０の正面図であり、図２は、外枠１１に対して内枠１２と前面枠セット１４とを開放した状態を示す斜視図である。但し、図２では便宜上、下皿ユニット１３が内枠１２から取り外された状態を示している。
【００３２】
図１，２に示すように、パチンコ機１０は、当該パチンコ機１０の外殻を形成する外枠１１と、この外枠１１の一側部に開閉可能に支持された内枠１２とを備えている。
【００３３】
内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。
【００３４】
内枠１２の構成を図３も用いて詳細に説明する。図３は、パチンコ機１０から前面枠セット１４を取り外した状態を示す正面図である（但し、図３では便宜上、遊技盤３０面上の遊技領域内の構成を空白で示している）。
【００３５】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。
【００３６】
下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、遊技球発射ハンドル１８とセットハンドルと発射モータなどで構成されている。音出力口２４は、下皿ユニット１３内あるいは背面に設けられたスピーカからの音を出力するための出力口である。
【００３７】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のもの）を差し入れるなどの不正行為を防止できるようになっている。
【００３８】
一方、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。従来のパチンコ機では前面枠セットの下方に内枠に対し開閉可能な前飾り枠が設けられ、該前飾り枠に上皿が設けられていたのであるが、本実施の形態では前飾り枠が省略され、前面枠セット１４に対し直接的に上皿１９が設けられている。
【００３９】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。また、窓穴２１には、２枚のガラス１３７（図２参照）が前後に所定間隔を隔てて取着されている。
【００４０】
次に、図４を用いて遊技盤３０の構成を説明する。図４は遊技盤３０の構成を示す正面図である。遊技盤３０は、一般入賞口３１、可変入賞装置３２、第１の始動口３３（例えば作動チャッカ）、第２の始動口３４（例えばスルーゲート）、可変表示装置ユニット３５等を備えている。これらの一般入賞口３１、可変入賞装置３２、第１の始動口３３（例えば作動チャッカ）、第２の始動口３４（例えばスルーゲート）、可変表示装置ユニット３５等は、遊技盤３０における、ルータ加工によって形成された各貫通孔にそれぞれに配設され、遊技盤３０前面側から木ネジ等により取り付けられている。前述の一般入賞口３１、可変入賞装置３２および第１の始動口３３に遊技球が入球し、当該入球が後述する検出スイッチ（入賞口スイッチ（図示省略）、カウントスイッチ（図示省略）、作動口スイッチ２２４（図５参照）等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００４１】
可変表示装置ユニット３５は、第１の始動口３３への入賞をトリガとして、識別情報としての第１図柄（例えば特別図柄）を変動表示する第１図柄表示装置４２と、第２の始動口３４の通過をトリガとして、第２図柄（例えば普通図柄）を変動表示する第２図柄表示装置４１とを備えている。
【００４２】
第２図柄表示装置４１は、第２図柄用の表示部４３と保留ランプ４４とを有し、遊技球が第２の始動口３４を通過する毎に例えば表示部４３による表示図柄（普通図柄）が変動し、その変動表示が所定図柄で停止した場合に第１の始動口３３が所定時間だけ作動状態となる（開放される）よう構成されている。遊技球が第２の始動口３４を通過した回数は最大４回まで保留され、その保留回数が保留ランプ４４にて点灯表示されるようになっている。なお、表示部４３は、複数のランプの点灯を切り換えることにより変動表示される構成の他、第１図柄表示装置４２（液晶表示装置）の一部で変動表示される構成等であっても良い。保留ランプ４４も同様に、第１図柄表示装置４２の一部で変動表示される構成等であっても良い。なお、上述した第２図柄表示装置４１が本発明における普通識別情報変動表示手段に相当する。
【００４３】
第１図柄表示装置４２は液晶表示装置として構成されており、後述する表示制御装置４５により表示内容が制御される。第１図柄表示装置４２には、例えば左、中及び右の３つの図柄列が表示される。各図柄列は複数の図柄によって構成されており、これら図柄が図柄列毎にスクロールされるようにして第１図柄表示装置４２に可変表示されるようになっている。なお本実施の形態では、第１図柄表示装置４２（液晶表示装置）は例えば９．５インチサイズの大型の液晶ディスプレイを備える。可変表示装置ユニット３５には、第１図柄表示装置４２を囲むようにしてセンターフレーム４７が配設されている。なお、上述した第１図柄表示装置４２が本発明における識別情報変動表示手段に相当し、上述した表示制御装置４５が本発明における表示制御手段に相当する。
【００４４】
可変入賞装置３２は、通常は遊技球が入賞できない又は入賞し難い閉状態になっており、大当たりの際に遊技球が入賞しやすい開状態と通常の閉状態とに繰り返し作動されるようになっている。より詳しくは、第１の始動口３３に対し遊技球が入賞すると第１図柄表示装置４２で図柄が変動表示され、その停止後の確定図柄が予め設定した特定の図柄の組合せとなったことを必要条件に特別遊技状態が発生する。そして、可変入賞装置３２の大入賞口が所定の開放状態となり、遊技球が入賞しやすい状態（大当たり状態）になるよう構成されている。具体的には、所定時間の経過又は所定個数の入賞を１ラウンドとして、可変入賞装置３２の大入賞口が所定回数繰り返し開放される。遊技球が第１の始動口３３を通過した回数は最大４回まで保留され、その保留回数が保留ランプ４６にて点灯表示されるようになっている。なお、保留ランプ４６は、第１図柄表示装置４２の一部で変動表示される構成等であっても良い。
【００４５】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００４６】
内レール５１の先端部分（図４の左上部）には戻り球防止部材５３が取着されている。これにより、一旦、内レール５１及び外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００４７】
内レール５１及び外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部及び左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００４８】
次に、遊技領域について説明する。遊技領域は、レールユニット５０の内周部（内外レール）により略円形状に区画形成されており、特に本実施の形態では、遊技盤３０の盤面上に区画される遊技領域が従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００４９】
なお、可変表示装置ユニット３５の両側に位置する第２の始動口３４は、該第２の始動口３４を通過した遊技球が中央の方へ寄せられるような案内機構を有している。これにより、遊技領域が左右方向に拡張されている場合であっても、遊技球を中央の第１の始動口３３や可変入賞装置３２の方へと案内することができ、ひいては、遊技領域が拡張されることにより遊技球が入賞しにくくなることによる興趣の低下が抑制されるようになっている。さらには、遊技領域が左右方向に拡張されていることによって、風車３７、第２の始動口３４、複数の釘（遊技球を中央に誘導するための誘導釘）、他の役物を種々配設することができ、可変表示装置ユニット３５の左右両側の遊技領域での遊技球の挙動を一層面白くすることができるようになっている。また、遊技領域が上下方向にも拡張されていることから、さらに風車３７、第２の始動口３４、複数の釘、他の役物を種々配設することができ、遊技領域での上下方向の遊技球の挙動をより一層面白くすることができるようになっている。
【００５０】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００５１】
本パチンコ機１０の場合、遊技領域が従来よりも大幅に拡張されており、かかる構成下では、誘導レールの曲率を小さくせざるを得ないことから、打出球を安定化させるための工夫を要する。そこで本実施の形態では、遊技球の発射位置を低くするとともに発射レール６１の傾斜角度（発射角度）を既存のものよりも幾分大きくし（すなわち発射レール６１を立ち上げるようにし）、さらに発射レール６１の長さを既存のものよりも長くして十分な長さの球誘導距離を確保するようにしている。これにより、遊技球発射装置３８から発射された遊技球をより安定した状態で誘導レールに案内できるようにしている。この場合特に、発射レール６１を、遊技球発射装置３８の発射位置から遊技領域の中央位置（アウト口３６）を越える位置まで延びるよう形成している。
【００５２】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。因みに、本実施の形態の場合、発射レール６１の長さは約２４０ｍｍ、発射レール先端部の隙間の長さ（発射レール６１の延長線上の長さ）は約４０ｍｍである。
【００５３】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される。これにより、ファール球の全てがファール球通路６３に確実に案内されるようになる。これにより、ファール球と次に発射される遊技球との干渉が抑制される。
【００５４】
なお、詳しい図面の開示は省略するが、遊技球発射装置３８には、前面枠セット１４側の球出口（上皿１９の最下流部より通じる球出口）から遊技球が１つずつ供給される。この際、本実施の形態では遊技球の発射位置を低くしたため、前面枠セット１４側の球出口から前記発射位置への落差が大きくなるが、発射レール６１の基端部付近にはその右側と手前側にそれぞれガイド部材６５，６６を設置した。これにより、前面枠セット１４側の球出口から供給される遊技球が常に所定の発射位置にセットされ、安定した発射動作が実現できる。また、遊技球発射装置３８には打球槌が設けられ、軸部を中心とする打球槌の回動に伴い遊技球が発射されるが、打球槌に関して軽量化が望まれている。それ故、アルミニウム等の軽金属への材料変更や軸部寸法の縮小化により打球槌の軽量化を図る一方で、十分な発射力を確保すべく、打球槌のヘッド部（軸部と反対側の端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果がある。
【００５５】
なお、図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている。前面枠セット１４を内枠１２から開放した状態（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、前飾り枠が省略され前面枠セット１４に対して上皿１９が直接設けられる構成とした本パチンコ機１０において、前面枠セット１４の開放に際し払出通路内等の遊技球がパチンコ機１０外にこぼれ落ちてしまうといった不都合が防止できるようになっている。
【００５６】
樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００５７】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００５８】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パチンコ店内）用コンピュータへ出力されるようになっている。
【００５９】
前面枠セット１４にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００６０】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６１】
また、遊技盤３０の裏面には、各種入賞口などの遊技球の通過を検出するための入賞感知機構などが設けられている。具体的には、遊技盤３０表側の一般入賞口３１に対応する位置には入賞口スイッチ（図示省略）が設けられ、可変入賞装置３２には、特定領域スイッチ（図示省略）とカウントスイッチ（図示省略）とが設けられている。特定領域スイッチ（図示省略）は、大当たり状態で可変入賞装置３２に入賞した遊技球が特定領域（大当たり状態継続を判定するための領域）に入ったことを判定するスイッチであり、カウントスイッチ（図示省略）は入賞球をカウントするスイッチである。また、第１の始動口３３に対応する位置には作動口スイッチ２２４が設けられ、第２の始動口３４に対応する位置にはゲートスイッチ（図示省略）が設けられている。なお、上述した作動口スイッチ２２４が本発明における入賞検出手段に相当する。
【００６２】
入賞口スイッチ（図示省略）及びゲートスイッチ（図示省略）は、図示しない電気配線を通じて盤面中継基板（図示省略）に接続され、さらにこの盤面中継基板（図示省略）が後述する主基板（主制御装置２６１）に接続されている。また、特定領域スイッチ（図示省略）及びカウントスイッチ（図示省略）は大入賞口中継基板（図示省略）に接続され、さらにこの大入賞口中継基板（図示省略）がやはり主基板に接続されている。これに対し、作動口スイッチ２２４は中継基板を介さずに直接主基板に接続されている。
【００６３】
その他図示は省略するが、可変入賞装置３２には、大入賞口を開放するための大入賞口ソレノイドと、入賞球を特定領域に導くための入賞球振分板ソレノイドが設けられ、第１の始動口３３には、電動役物を開放するための作動口ソレノイドが設けられている。
【００６４】
上記入賞感知機構にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００６５】
次に、本パチンコ機１０の電気的構成について、図５を用いて説明する。図５は、本パチンコ機１０の電気的構成を示したブロック図である。本パチンコ機１０は、主制御装置２６１と、払出制御装置３１１と、発射制御装置３１２と、表示制御装置４５と、電源装置３１３などを備えている。以下に、これらの装置を個別に詳細に説明する。
【００６６】
主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備している。
【００６７】
また、音声ランプ制御装置２６２は、例えば主制御装置２６１（主基板）又は表示制御装置４５からの指示に従い音声やランプ表示の制御を司るＣＰＵや、その他ＲＯＭ、ＲＡＭ、各種ポート等を含む音声ランプ制御基板を具備している。音声ランプ制御装置２６２上には電源中継基板２６６が搭載されており、後述する電源基板より供給される電源がこの電源中継基板２６６を介して表示制御装置４５及び音声ランプ制御装置２６２に出力されるようになっている。
【００６８】
払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者による遊技球発射ハンドル１８の操作に従い発射モータ（図示省略）の制御が行われ、電源装置３１３の電源基板により、各種制御装置等で要する所定の電源電圧が生成され出力される。
【００６９】
また、電源装置３１３にはＲＡＭ消去スイッチ（図示省略）が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチを押しながら電源を投入することとしている。
【００７０】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００７１】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアの他に、バックアップエリア５０３ａが設けられている。
【００７２】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくためのエリアである。バックアップエリア５０３ａへの書き込みは、ＮＭＩ割込み処理によって電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００７３】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路６４３、払出制御装置３１１、表示制御装置４５や、その他図示しないスイッチ群などが接続されている。
【００７４】
また、払出制御装置３１１は、払出モータにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００７５】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアの他に、バックアップエリア５１３ａが設けられている。
【００７６】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくためのエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００７７】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００７８】
発射制御装置３１２は、発射モータ（図示省略）による遊技球の発射を許可又は禁止するものであり、発射モータは、所定条件が整っている場合に駆動が許可される。具体的には、払出制御装置３１１から発射許可信号が出力されていること、遊技者が遊技球発射ハンドル１８をタッチしていることをセンサ信号により検出していること、発射を停止させるための発射停止スイッチが操作されていないことを条件に、発射モータが駆動され、遊技球発射ハンドル１８の操作量に応じた強度で遊技球が発射される。
【００７９】
表示制御装置４５は、第１図柄表示装置４２における第１図柄の変動表示と、第２図柄表示装置４１における第２図柄の変動表示とを制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力には主制御装置２６１の出力が接続され、入力ポート５２７の出力には、ＣＰＵ５２１、ＲＯＭ５２２、ワークＲＡＭ５２３、画像コントローラ５２６が接続されると共にバスライン５３０を介して一方の出力ポート５２８が接続されている。出力ポート５２８の出力には第２図柄表示装置４１（表示部４３）や、音声ランプ制御装置２６２が接続されている。また、画像コントローラ５２６にはバスライン５３１を介して出力ポート５２９が接続されており、その出力ポート５２９の出力には液晶表示装置である第１図柄表示装置４２が接続されている。
【００８０】
表示制御装置４５のＣＰＵ５２１は、主制御装置２６１から送信される表示コマンドに基づいて第１図柄表示装置４２及び第２図柄表示装置４１の表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００８１】
ビデオＲＡＭ５２４は、第１図柄表示装置４２に表示される表示データを記憶するためのメモリであり、このビデオＲＡＭ５２４の内容を書き替えることにより、第１図柄表示装置４２の表示内容が変更される。キャラクタＲＯＭ５２５は、第１図柄表示装置４２に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４２に表示させるものである。
【００８２】
また、電源装置３１３は、パチンコ機１０の各部に電力を供給するための電源部５４１と、停電等による電源遮断を監視する停電監視回路５４２と、ＲＡＭ消去スイッチ（図示省略）に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆部するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８３】
停電監視回路５４２は、停電等の発生による電源断時に、主制御装置２６１のＣＰＵ５０１及び払出制御装置３１１のＣＰＵ５１１の各ＮＭｌ端子へ停電信号Ｓ１を出力するための回路である。停電監視回路５４２は、電源部５４１で交流５ボルトの電圧を監視し、この電圧が５ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００８４】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００８５】
ＲＡＭ消去スイッチ回路５４３は、ＲＡＭ消去スイッチ（図示省略）のスイッチ信号を取り込み、そのスイッチの状態に応じて主制御装置２６１のＲＡＭ５０３及び払出制御装置３１１のＲＡＭ５１３のバックアップデータをクリアするための回路である。ＲＡＭ消去スイッチが押下された際、ＲＡＭ消去スイッチ回路５４３は、ＲＡＭ消去信号Ｓ２を主制御装置２６１及び払出制御装置３１１に出力する。ＲＡＭ消去スイッチが押下された状態でパチンコ機１０の電源が投入されると（停電解消による電源入を含む）、主制御装置２６１及び払出制御装置３１１においてそれぞれのＲＡＭ５０３，６１３のデータがクリアされる。
【００８６】
ところで、第１図柄表示装置（液晶表示装置）４２には、図６に示すように、上・中・下の３つの図柄列Ｕ，Ｍ，Ｄが設定されており、図柄列Ｕ，Ｍ，Ｄ毎に左図柄、中図柄、右図柄の３個ずつの図柄（第１図柄：例えば特別図柄）が横方向に変動表示される。本実施の形態では、一連の図柄は、「０」〜「９」の数字を各々付した、海中生物などの絵柄からなる主図柄ＳＺと、貝型形状の絵図柄からなる副図柄ＦＺとにより構成されており、数字の昇順に主図柄ＳＺが表示されると共に各主図柄ＳＺの間に副図柄ＦＺが配されて一連の図柄列Ｕ，Ｍ，Ｄが構成されている。そして、周期性を持って主図柄ＳＺと副図柄ＦＺが右から左へと変動表示されるようになっている。
【００８７】
かかる場合、上図柄列Ｕおよび中図柄列Ｍにおいて、上記一連の図柄が昇順（すなわち、主図柄ＳＺの番号が増える順）に表示され、下図柄列Ｄにおいて、上記一連の図柄が降順（すなわち、主図柄ＳＺの番号が減る順）に表示される。そして、第１の始動口３３への入賞に基づいて一連の図柄列Ｕ，Ｍ，Ｄの変動表示が開始され、そして、上図柄列Ｕ→下図柄列Ｄ→中図柄列Ｍの順に変動表示が停止し、その停止時に第１図柄表示襲置４２上の５つの有効ライン、すなわち左ラインＬ１、中ラインＬ２、右ラインＬ３、右上がりラインＬ４、左上がりラインＬ５の何れかで主図柄ＳＺが大当たり図柄の組合せ（本実施の形態では、同一の主図柄ＳＺの組合せ）で揃えば大当たりとして特定遊技動画（特別遊技動画）が表示されるようになっている。
【００８８】
次に、本実施例のパチンコ機１０のさらなる特徴部分の構成について、図７〜図１４を用いて説明する。図７は主制御装置２６１の構成を示す分解斜視図である。図８は作動口スイッチ２２４が接続される主制御装置２６１の斜視図である。図９は上下ケース４１０，４２０の閉じる前の状態を示す斜視図である。図１０は取付部材４４０を取り付けた状態の主制御基板４００の斜視図である。図１１は取付部材４４０の斜視図である。図１２は下ケース４２０の斜視図である。図１３は取付部材４４０と上ケース４１０とを示す斜視図である。図１４は下ケース４２０に取付部材４４０が位置している様子を示す斜視図である。
【００８９】
主制御装置２６１は、パチンコ機１０の遊技を主として制御する機能を備えたものであり、図７に示すように、ＩＣや抵抗など各種の電気部品・電子部品が実装された主制御基板４００（主基板とも言う）と、この主制御基板４００を被包する上ケース４１０，下ケース４２０とを備えている。主制御基板４００を上ケース４１０，下ケース４２０で被包することで、ケースの外部からケース内の主制御基板４００に不正にアクセス（接触など）できないようにしており、不正行為の低減に一定の効果を奏している。
【００９０】
パチンコ機１０は、図４に示すように、一般入賞口３１、第１の始動口３３（例えば作動チャッカ）などが所定箇所に配置された遊技盤３０を備えている。例えば、第１の始動口３３は、当該第１の始動口３３への遊技球の入球を検出する作動口スイッチ２２４（図５参照）を備えている。
【００９１】
図８に示すように、この作動口スイッチ２２４は、接続ケーブル４３０を介して電気的に主制御基板４００に接続されるようになっている。具体的には、作動口スイッチ２２４の接続ケーブル４３０での主制御基板４００側のコネクタ４３２は、主制御基板４００のコネクタ４０２に挿入可能となっている。
【００９２】
図７に示すように、上ケース４１０は、当該上ケース４１０および下ケース４２０により形成される内部空間に収納された状態における主制御基板４００のコネクタ４０２に対応する箇所に、接続ケーブル４３０の主制御基板４００側のコネクタ４３２が挿入可能な挿入開口部４１２を備えている。
【００９３】
図７に示すように、さらに、主制御基板４００におけるコネクタ４０２を含む所定領域には、取付部材４４０が取り付けられている。この取付部材４４０は、主制御基板４００のコネクタ４０２が挿入可能な開口部４４２（図１１参照）を有している。この開口部４４２は、当該開口部４４２に主制御基板４００のコネクタ４０２を挿入させた状態でこの主制御基板４００のコネクタ４０２の外周に当接する当接部４４４を備えている。
【００９４】
図７に示すように、主制御基板４００の取付部材４４０が取り付けられる面（図７において見える面）は、電気部品・電子部品が実装される実装面ＪＭであり、主制御基板４００の取付部材４４０が取り付けられる面とは裏側の面（図７において見えない側の面）は、電気部品・電子部品の端子などが半田付けされる半田面ＨＭである。
【００９５】
図７に示すように、主制御基板４００は、その実装面が上ケース４１０の内部に対向する状態で、上ケース４１０に取り付けられる。なお、主制御基板４００には、図９に示すように取付部材４４０が取り付けられた状態で、上ケース４１０に取り付けられる。このように主制御基板４００が内部に取り付けられた上ケース４１０の一端側（図９を見た状態で上ケース４１０の左側の長辺の端部）と、下ケース４２０の他端側（図９を見た状態で下ケース４２０の右側の長辺の端部）とを嵌合させた状態で、上ケース４１０を矢印ＹＡ方向にスライド移動させるか、下ケース４２０を矢印ＹＢ方向にスライド移動させるか、あるいは双方ともスライド移動させることで、主制御基板４００を上ケース４１０および下ケース４２０で被包した状態とすることができるようになっている。
【００９６】
図１０，図１１に示すように、取付部材４４０は、当該取付部材４４０が取り付けられた主制御基板４００が何れのパチンコ機（遊技機）の種類のものかを識別するための認識情報を視認可能に形成した認識部４６０を備えている。また、認識部４６０は、取付部材４４０に一体的に形成されたものとしている。また、認識部４６０は例えば透明部材としている。
【００９７】
例えば、この認識情報としては、パチンコ機の名称や機種などパチンコ機に関する文字情報などが挙げられ、認識部４６０の表面に文字情報を凸状に形成している。このように透明部材たる認識部４６０の表面に凸状形成で文字情報（認識情報）を設けているので、文字情報（認識情報）を読み取れるだけでなく、この認識部４６０の裏面側も透視することができる。
【００９８】
また、図７，図８に示すように、上ケース４１０および下ケース４２０からなる被包構成は、その内部に主制御基板４００を封入した状態を維持する封入維持部４７０（かしめ部）を備えている。この封入維持部４７０は、その所定箇所が破壊されることで上ケース４１０および下ケース４２０からなる被包構成の開封が可能となり、かつ、当該破壊の痕跡が残るものである。
【００９９】
以下に、封入維持部４７０（かしめ部）の構成について説明する。この封入維持部４７０（かしめ部）は、図７に示すように、取付部材４４０に備えられた突出棒４７２と、下ケース４２０に備えられた嵌入部４２２と、上ケース４１０に備えられた外囲部４１４とを備えている。
【０１００】
具体的には、取付部材４４０は、図７，図１０，図１１に示すように、返り部４７４が所定箇所に形成された突出棒４７２を複数本（本実施例では、例えば５本）備えている。この突出棒４７２は、取付部材４４０から立設した逆Ｌ字状の形状となっており、その先端部に返り部４７４が形成されている。
【０１０１】
取付部材４４０が取り付けられた主制御基板４００は、前述したように上ケース４１０に取り付けられるようになっている。また、下ケース４２０には、取付部材４４０の突出棒４７２が嵌入され、かつ、その突出棒４７２の返り部４７４の戻りを阻止する阻止部４２４を有する嵌入部４２２を備えている。この嵌入部４２２は、阻止部４２４が載置される底部４２２ａと、この底部４２２ａの両端から立設された両壁部４２２ｂと、この底部４２２ａの奥側端から立設された奥板部４２２ｃとを備えている。この両壁部４２２ｂの内側には溝部４２２ｄが形成されている。
【０１０２】
この阻止部４２４としては、図７，図１２に示すように、平面視でΠ字状（パイ字状）のピンなどが挙げられる。つまり、このピンなる阻止部４２４は、図１２に示すように、そのΠ字状の２本の棒部４２４ａの先端部それぞれに掛部４２４ｂが形成され、そのΠ字状の１本の渡し部４２４ｃ（前記の２本の棒部を備えた板状体）の両端それぞれが嵌入部４２２の両壁部４２２ｂの溝部４２２ｄに嵌め込まれ、矢印ＹＡおよび矢印ＹＢの方向に移動しないようにしたものが挙げられる。
【０１０３】
図７，図１３に示すように、上ケース４１０は、その所定箇所（図７では、上ケース４１０の左側の長辺の端部）に、下ケース４２０の嵌入部４２２を覆う外囲部４１４を備えている。
【０１０４】
図１４に示すように、取付部材４４０の突出棒４７２が下ケース４２０の嵌入部４２２に挿入されると、この突出棒４７２の返り部４７４が嵌入部４２２の阻止部４２４に嵌め込まれた状態となり、取付部材４４０を矢印ＹＡおよび矢印ＹＢの方向に移動させることができないようになっている。つまり、取付部材４４０は上ケース４１０に取り付けられており、上ケース４１０を下ケース４２０に対して矢印ＹＡおよび矢印ＹＢの方向に移動させることができないようになっており、上ケース４１０および下ケース４２０からなる被包機構を開封できないようになっている。
【０１０５】
次に、主制御基板４００のコネクタ４０２の外周と、取付部材４４０の開口部４４２に設けられた当接部４４４との当接状態などについて、図１５を用いて説明する。図１５（ａ）は、図１０に示したＡ−Ａ線断面図であり、図１５（ｂ）は、取付部材４４０を主制御基板４００に取り付ける際の主制御基板４００のコネクタ４０２と取付部材４４０の開口部４４２などを示す断面図である。
【０１０６】
図１５に示すように、主制御基板４００のコネクタ４０２の外周には周回凹部４０４が形成されている。つまり、主制御基板４００のコネクタ４０２の外周には、それを一周するように周回凹部４０４が形成されている。なお、主制御基板４００のコネクタ４０２の外周の必要箇所にのみ周回凹部４０４を形成するようにしてもよい。
【０１０７】
図１５に示すように、取付部材４４０の開口部４４２は、主制御基板４００のコネクタ４０２を挿入可能な大きさとしており、主制御基板４００のコネクタ４０２の外周と取付部材４４０の開口部４４２との間の隙間を無くしたいという観点から言えば、取付部材４４０の開口部４４２が主制御基板４００のコネクタ４０２の外周に当接して挿入される程度がより好ましい。当接部４４４は、取付部材４４０の開口部４４２に設けられたものであり、取付部材４４０から立設された、主制御基板４００のコネクタ４０２の外周を囲うべく形成された壁部４４６と、この壁部４４６の内周側に形成された、コネクタ４０２の外周の周回凹部４０４に嵌合する周回凸部４４８とを備えている。
【０１０８】
図１５（ｂ）に示すように、取付部材４４０の開口部４４２に主制御基板４００のコネクタ４０２を挿入させるようにして、取付部材４４０を主制御基板４００に取り付け、図１５（ａ）に示す状態に取り付ける。図１５（ａ）に示すように、主制御基板４００のコネクタ４０２の外周は、その全周にわたって取付部材４４０の開口部４４２の当接部４４４が当接している。つまり、主制御基板４００のコネクタ４０２の外周の周回凹部４０４に、その全周にわたって取付部材４４０の開口部４４２の当接部４４４の周回凸部４４８が当接している。したがって、周回凹部４０４および周回凸部４４８により、取付部材４４０の開口部４４２と主制御基板４００のコネクタ４０２との間の隙間が塞がれた状態となっている。
【０１０９】
なお、上述した主制御基板４００（主基板）が本発明における制御手段に相当し、上述した上ケース４１０および下ケース４２０が本発明における被包手段に相当し、上述した上ケース４１０が本発明における第１ケースに相当し、上述した下ケース４２０が本発明における第２ケースに相当し、上述した作動口スイッチ２２４が本発明における被対象品に相当し、上述したコネクタ４０２が本発明における接続部に相当し、上述した認識部４６０が本発明における認識手段に相当し、上述した封入維持部４７０が本発明における封入維持手段に相当する。
【０１１０】
ここで、本パチンコ機１０の主制御基板４００を上ケース４１０および下ケース４２０からなる被包構成に収納する手順と、その上ケース４１０および下ケース４２０から主制御基板４００を取り出す手順とを、以下に順番に説明する。
【０１１１】
まず、主制御基板４００を上ケース４１０および下ケース４２０からなる被包構成に収納する手順について説明する。図１１に示す取付部材４４０を、図１０に示すように主制御基板４００に取り付ける。つまり、主制御基板４００のコネクタ４０２を含む所定領域に取付部材４４０を取り付ける。
【０１１２】
図１５を用いて説明したように、図１１に示す取付部材４４０の主制御基板４００への取り付け状態において、周回凹部４０４および周回凸部４４８により、取付部材４４０の開口部４４２と主制御基板４００のコネクタ４０２との間の隙間が塞がれた状態となっている。
【０１１３】
続いて、図１０に示した取付部材４４０付きの主制御基板４００を、図７に示すように、その実装面ＪＭが上ケース４１０の内部に対向するようにして上ケース４１０に取り付ける。そして、このように主制御基板４００が取り付けられた上ケース４１０のコネクタ４０２側の長辺端部を、図９に示すように、下ケース４２０の封入維持部４７０とは反対側の長辺端部に合わせて、矢印ＹＡの方向に上ケース４１０をスライド移動させて、図８に示すような被覆状態とする。つまり、主制御基板４００を上ケース４１０および下ケース４２０内に被覆した状態する。
【０１１４】
図８に示した被覆状態となれば、図１４に示すように、取付部材４４０の突出棒４７２の返り部４７４が下ケース４２０の嵌入部４２２の阻止部４２４（ピン）に嵌合された状態となり、封入維持部４７０の所定箇所を破壊しなければ、上ケース４１０と下ケース４２０の開封ができない状態となり、不正行為の防止に一定の効果を奏する状態となっている。なお、この状態の主制御装置２６１（主制御基板４００を上ケース４１０と下ケース４２０で被包した状態のもの）がパチンコ機１０の裏面側の所定位置に配置されるようになっている。
【０１１５】
次に、上ケース４１０および下ケース４２０で被包された主制御基板４００を取り出す手順について、図１６も用いて説明する。図１６は封入維持部４７０の破壊後状態を示す図である。
【０１１６】
前述したように封入維持部４７０の所定箇所を破壊しなければ、上ケース４１０と下ケース４２０の開封ができないため、図１２に示すように、封入維持部４７０の第１の破壊箇所ＳＡと第２の破壊箇所ＳＢとを切断破壊する。なお、第２の破壊箇所ＳＢは、図１２に示すように２箇所ある。
【０１１７】
封入維持部４７０の第１の破壊箇所ＳＡと第２の破壊箇所ＳＢとを切断破壊することで、図１６に示すように、上ケース４１０を矢印ＹＢの方向にスライド移動させるか、下ケース４２０を矢印ＹＡの方向にスライド移動させることにより、上ケース４１０と下ケース４２０を開封できる。図１６に示すように、封入維持部４７０の第１の破壊箇所ＳＡの破壊痕跡ＨＡと、封入維持部４７０の２箇所の第２の破壊箇所ＳＢの破壊痕跡ＨＢとが残っていることがわかる。また、上ケース４１０の方には、封入維持部４７０の切断された一部ＨＣがそのまま付いた状態となっていることがわかる。
【０１１８】
このままでは、上ケース４１０に主制御基板４００が取り付けられたままであるので、図１３に示すように、封入維持部４７０の第３の破壊箇所ＳＣを切断破壊する。なお、図１３では、図１６に示した封入維持部４７０の切断された一部ＨＣを削除した状態を図示している。
【０１１９】
そして、主制御基板４００の上ケース４１０に対する取り付けを解除、例えば、上ケース４１０にネジ止めされていた主制御基板４００をそのネジ止めを解除することで、主制御基板４００をケースから取り外す。なお、図１２に示した阻止部４２４（ピン）は、次のかしめのために使いまわしするようにしている。
【０１２０】
パチンコ機１０が設置される遊技店（ホール）の店員など、パチンコ機１０の正当使用者は、封入維持部４７０（かしめ部）の破壊痕跡（第１〜第３の破壊箇所ＳＡ〜ＳＣ）に基づいて、不正開封があったか否かを確認でき、不正行為の発見に顕著な効果を奏する。
【０１２１】
上述したように、本実施例のパチンコ機１０によれば、当該パチンコ機１０についての少なくとも一部の機能を制御する主制御基板４００と、この主制御基板４００を被包する上ケース４１０と下ケース４２０とからなる被包構成と、主制御基板４００とは別体で、当該主制御基板４００に接続ケーブル４３０を介して電気的に接続される作動口スイッチ２２４と、を備え、主制御基板４００は、接続ケーブル４３０の主制御基板４００側のコネクタ４３２が接続可能なコネクタ４０２を備え、上ケース４１０は、当該上ケース４１０の内部に収納された状態における主制御基板４００のコネクタ４０２に対応する箇所に、接続ケーブル４３０の主制御基板４００側のコネクタ４３２が挿入可能な挿入開口部４１２を備え、主制御基板４００におけるコネクタ４０２を含む所定領域に取り付けられる部材であって、主制御基板４００のコネクタ４０２が挿入可能な開口部４４２を有し、かつ、その開口部４４２にコネクタ４０２を挿入させた状態で当該コネクタ４０２の外周に当接する当接部４４４が開口部４４２に設けられた取付部材４４０を備えているので、主制御基板４００に取り付けられた取付部材４４０は、その当接部４４４が主制御基板４００のコネクタ４０２の外周に当接させた状態とすることができ、主制御基板４００のコネクタ４０２の外周を取付部材４４０の当接部４４４で隙間無く覆うことができ、上ケース４１０と下ケース４２０内に収納された主制御基板４００に不正にアクセスすることが困難となり、主制御基板４００に対する不正行為を防止することができる。しかも、上ケース４１０の挿入開口部４１２や主制御基板４００のコネクタ４０２などを硬化材料で固めて封止するようなことはしないので、上ケース４１０と下ケース４２０からなる被包構成からの主制御基板４００の取り出しも簡単に行うことができるし、何らかの部品を破壊するようなこともない。その結果、主制御基板４００に対する不正対策に優れ、かつ、主制御基板４００の取り出しの利便性を確保できるパチンコ機（遊技機）を提供できる。
【０１２２】
また、主制御基板４００のコネクタ４０２の外周には所定の周回凹部４０４が形成され、当接部４４４は、取付部材４４０から立設された、主制御基板４００のコネクタ４０２の外周を囲うような壁部４４６と、この壁部４４６の内周側に形成された、コネクタ４０２の外周の周回凹部４０４に嵌合する周回凸部４４８とを備えているので、主制御基板４００に取り付けられた取付部材４４０は、その当接部４４４が主制御基板４００のコネクタ４０２の外周に当接させた状態とすることができる。つまり、当接部４４４たる壁部４４６の内周側でその内周側を一周する周回凸部４４８が、主制御基板４００のコネクタ４０２の外周でその外周回りを一周する周回凹部４０４に嵌合された状態となるので、主制御基板４００のコネクタ４０２の外周を取付部材４４０の当接部４４４で隙間無く覆うことができ、上ケース４１０と下ケース４２０からなる被包構成内に収納された主制御基板４００に不正にアクセスすることが困難となり、主制御基板４００に対する不正行為を防止することができる。しかも、上ケース４１０の挿入開口部４１２や主制御基板４００のコネクタ４０２などを硬化材料で固めて封止するようなことはしないので、被包構成からの主制御基板４００の取り出しも簡単に行うことができるし、何らかの部品を破壊するようなこともない。その結果、主制御基板４００に対する不正対策に優れ、かつ、主制御基板４００の取り出しの利便性を確保できるパチンコ機を提供できる。
【０１２３】
また、取付部材４４０は、当該取付部材４４０が取り付けられた主制御基板４００が何れのパチンコ機（遊技機）の種類のものかを識別するための認識情報を視認可能に形成した認識部４６０を備えているので、取付部材４４０の認識部４６０を見ることで、主制御基板４００が何れのパチンコ機（遊技機）の種類のものであるかを知ることができ、種類の異なるパチンコ機（遊技機）に誤って主制御基板４００が取り付けられることを低減できる。
【０１２４】
また、主制御基板４００を被覆するケース（上ケース４１０や下ケース４２０）に、主制御基板４００が何れのパチンコ機（遊技機）の種類のものかを識別するための認識情報を視認可能に形成する必要がないので、機種ごとに個別の専用ケースを用意する必要がなく、ケースを異機種間にわたって共用することができ、パチンコ機の受注を受けてからでなければケースを生産できないという製造制約を解消できる。つまり、ある機種のケース（前記の認識情報が形成されたケース）を作り置きし、その作り置き分について販売できなければ、不必要に在庫を抱えることになり、無駄になってしまうことから、従来では受注後にケース製造するという制約下で製造を行わなければならなかったが、本実施例ではそのような必要がなくなり、ケースの作り置きしておいても別機種で使用可能であり、無駄になってしまうこともないし、受注生産に起因する作業効率の低下、つまり、受注があってからケース製造をすることによって生じるケース製造の遅れに基づく作業効率の低下を改善できる。
【０１２５】
また、認識部４６０は、取付部材４４０に一体的に形成されたものとしているので、取付部材４４０に対して認識部４６０を取り替えることを困難にでき、取付部材４４０に対して認識部４６０を入れ替えるという不正行為を低減できる。
【０１２６】
また、認識部４６０は透明部材としているので、この認識部４６０の裏面側に位置する主制御基板４００の所定領域も見ることができる。つまり、透明な認識部４６０としているので、その背後に位置する主制御基板４００の所定部分も見ることができ、認識部４６０の背後側に不正行為を行うことが困難となり、不正行為を低減できる。
【０１２７】
また、上ケース４１０と下ケース４２０からなる被包構成は、その内部に主制御基板４００を封入した状態を維持する封入維持部４７０を備え、封入維持部４７０は、その所定箇所が破壊されることで上ケース４１０と下ケース４２０の開封が可能となり、かつ、当該破壊の痕跡が残るものであるとしているので、封入維持部４７０の所定箇所を破壊しなければ上ケース４１０と下ケース４２０を開封することができないので、主制御基板４００に対する不正行為を低減できる。また、封入維持部４７０の所定箇所を破壊して上ケース４１０と下ケース４２０を開封し、この上ケース４１０と下ケース４２０で形成される内部空間に収納されていた主制御基板４００に不正行為を行ったとしても、当該破壊の痕跡に基づいて不正行為があったことやそのおそれを知ることができ、主制御基板４００に対する不正行為を低減できる。
【０１２８】
また、上ケース４１０と下ケース４２０とからなる被包構成は、上ケース４１０と下ケース４２０とを取り付けた状態でそれらによって形成される内部空間に主制御基板４００を収納可能とするものであり、取付部材４４０は、返り部４７４が所定箇所に形成された突出棒４７２を備え、取付部材４４０が取り付けられた主制御基板４００は上ケース４１０に取り付けられ、下ケース４２０には、突出棒４７２が嵌入され、かつ、返り部４７４の戻りを阻止する阻止部４２４を有する嵌入部４２２が備えられ、上ケース４１０は嵌入部４２２を覆う外囲部４１４を備え、封入維持部４７０は、突出棒４７２と嵌入部４２２と外囲部４１４とで構成されている。したがって、封入維持部４７０の外囲部４１４を破壊しなければ上ケース４１０と下ケース４２０を開封することができないので、主制御基板４００に対する不正行為を低減できる。また、封入維持部４７０の外囲部４１４を破壊して上ケース４１０と下ケース４２０を開封し、この上ケース４１０と下ケース４２０内に収納されていた主制御基板４００に不正行為を行ったとしても、当該破壊の痕跡に基づいて不正行為があったことやそのおそれを知ることができ、主制御基板４００に対する不正行為を低減できる。
【０１２９】
この発明は、上記実施形態に限られることはなく、下記のように変形実施することができる。
【０１３０】
（１）上述した実施例では、図１５に示すように、主制御基板４００のコネクタ４０２の外周には周回凹部４０４を形成し、当接部４４４は、取付部材４４０から立設された、主制御基板４００のコネクタ４０２の外周を囲うべく形成された壁部４４６と、この壁部４４６の内周側に形成された、コネクタ４０２の外周の周回凹部４０４に嵌合する周回凸部４４８とを備えたものとしているが、図１７に示すように、主制御基板４００のコネクタ４０２の外周には所定の周回凸部４４８を形成し、当接部４４４は、取付部材４４０から立設された、主制御基板４００のコネクタ４０２の外周を囲うような壁部４４６と、この壁部４４６の内周側に形成された、コネクタ４０２の外周の周回凸部４４８に嵌合する周回凹部４０４とを備えるようにしてもよい。このようにした場合でも、前述の実施例と同様の効果を得ることができる。
【０１３１】
（２）上述した実施例では、図１５に示すように、主制御基板４００のコネクタ４０２の外周には周回凹部４０４を形成し、当接部４４４は、取付部材４４０から立設された、主制御基板４００のコネクタ４０２の外周を囲うべく形成された壁部４４６と、この壁部４４６の内周側に形成された、コネクタ４０２の外周の周回凹部４０４に嵌合する周回凸部４４８とを備えたものとしているが、図１８に示すように、当接部４４４は、取付部材４４０から先細りとなるように立設された、主制御基板４００のコネクタ４０２の外周を囲うような壁部４８０を備えているようにしてもよい。
【０１３２】
なお、図１８（ａ）は先細り壁部４８０とした当接部４４４の概略斜視図であり、図１８（ｂ）はその（ａ）に示した当接部４４４の開口部４４２に主制御基板４００のコネクタ４０２を挿入した状態の断面図であり、図１８（ｃ）はその（ｂ）に示した当接部４４４を備えた取付部材４４０を主制御基板４００のコネクタ４０２を挿入する際の様子を示す説明図である。
【０１３３】
図１８（ａ）に示すように、取付部材４４０の当接部４４４は、先細り壁部４８０を備えており、この先細り壁部４８０により上部側および下部側の開口部４４２が形成される。上部側の開口部４４２は、下部側の開口部４４２よりも小さくなっており、主制御基板４００のコネクタ４０２の外形よりも小さくなっている。図１８（ｃ）に示すように、取付部材４４０の開口部４４２に主制御基板４００のコネクタ４０２を挿入すると、図１８（ｂ）に示すように、先細り壁部４８０が弾性変形して主制御基板４００のコネクタ４０２の外周に当接した状態となり、取付部材４４０の開口部４４２と主制御基板４００のコネクタ４０２との間の隙間が塞がれた状態となっている。
【０１３４】
このように構成した場合には、主制御基板４００に取り付けられた取付部材４４０は、その当接部４４４が主制御基板４００のコネクタ４０２の外周に当接させた状態とすることができる。つまり、当接部４４４たる先細りの壁部４８０の内周側が、主制御基板４００のコネクタ４０２の外周に当接した状態となるので、主制御基板４００のコネクタ４０２の外周を取付部材４４０の当接部４４４で隙間無く覆うことができ、上ケース４１０，下ケース４２０内に収納された主制御基板４００に不正にアクセスすることが困難となり、主制御基板４００に対する不正行為を防止することができる。しかも、上ケース４１０の挿入開口部４１２や主制御基板４００のコネクタ４０２などを硬化材料で固めて封止するようなことはしないので、上ケース４１０，下ケース４２０からの主制御基板４００の取り出しも簡単に行うことができるし、何らかの部品を破壊するようなこともない。その結果、主制御基板４００に対する不正対策に優れ、かつ、主制御基板４００の取り出しの利便性を確保できる遊技機を提供できる。
【０１３５】
（３）上述した実施例では、図１５に示すように、主制御基板４００のコネクタ４０２の外周には周回凹部４０４を形成し、当接部４４４は、取付部材４４０から立設された、主制御基板４００のコネクタ４０２の外周を囲うべく形成された壁部４４６と、この壁部４４６の内周側に形成された、コネクタ４０２の外周の周回凹部４０４に嵌合する周回凸部４４８とを備えたものとしているが、図１９に示すように、取付部材４４０の開口部４４２と主制御基板４００のコネクタ４０２との間に硬化材料４９０を充填して硬化させるようにしてもよい。
【０１３６】
なお、図１９は取付部材４４０の開口部４４２と主制御基板４００のコネクタ４０２との間に硬化材料４９０を充填して硬化させた様子を示す断面図である。
【０１３７】
図１９に示すように、取付部材４４０の開口部４４２や主制御基板４００のコネクタ４０２の外周には、両者を当接させる構成はなく、所定の間隔（例えば、数ミリ程度の間隔）が空いているものである。主制御基板４００に取付部材４４０を取り付けた後に、取付部材４４０の開口部４４２と主制御基板４００のコネクタ４０２との間に硬化材料４９０を充填して硬化させている。
【０１３８】
このように構成した場合には、主制御基板４００に取り付けられた取付部材４４０の開口部４４２と主制御基板４００のコネクタ４０２の外周との間には、硬化材料４９０が充填硬化されているので、主制御基板４００のコネクタ４０２の外周を硬化材料４９０で隙間無く覆うことができ、上ケース４１０，下ケース４２０内に収納された主制御基板４００に不正にアクセスすることが困難となり、主制御基板４００に対する不正行為を防止することができる。しかも、上ケース４１０の挿入開口部４１２などを硬化材料４９０で固めて封止するようなことはしないので、上ケース４１０，下ケース４２０からの主制御基板４００の取り出しも簡単に行うことができるし、何らかの部品を破壊するようなこともない。その結果、主制御基板４００に対する不正対策に優れ、かつ、主制御基板４００の取り出しの利便性を確保できる遊技機を提供できる。
【０１３９】
（４）上述した実施例では、上ケース４１０に主制御基板４００を取り付けているが、下ケース４２０に取り付けてもよい。また、上述した実施例では、被対象品として作動口スイッチ２２４を採用しているが、その他の磁気センサや各種のセンサや種々の電気部品などを採用しても良い。また、上述の実施例では、主制御基板４００の一箇所のコネクタ４０２について取付部材４４０の開口部４４２の当接部４４４で閉塞させることを説明したが、主制御基板４００のその他の箇所のコネクタ４０３（図７，図１０参照）および取付部材４４０のその他の開口部４４３（図１１参照）について適用するようにしてもよい。
【０１４０】
（５）また、上述した図１２，図１３に示す第１〜第３の破壊箇所ＳＡ〜ＳＣに、ＩＣタグ付き封印シールを貼り付け、その第１〜第３の破壊箇所ＳＡ〜ＳＣの破壊に伴ってＩＣタグ付き封印シールが切断（破壊）などされ、このＩＣタグと正常に通信できないことによって不正対策を講じるようにしてもよい。
【０１４１】
（６）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１４２】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１４３】
以上のように、この発明は、パチンコ機やスロットマシン等の遊技機に適している。
【符号の説明】
【０１４４】
２２４  …作動口スイッチ（被対象品）
４００  …主制御基板（制御手段）
４０２  …コネクタ
４１０  …上ケース（被包手段、第１ケース）
４１２  …挿入開口部
４２０  …下ケース（被包手段、第２ケース）
４３０  …接続ケーブル
４３２  …コネクタ
４４０  …取付部材
４４２  …開口部
４４４  …当接部
【図１】
2014223473.tif 000003
【図２】
2014223473.tif 000004
【図３】
2014223473.tif 000005
【図４】
2014223473.tif 000006
【図５】
2014223473.tif 000007
【図６】
2014223473.tif 000008
【図７】
2014223473.tif 000009
【図８】
2014223473.tif 000010
【図９】
2014223473.tif 000011
【図１０】
2014223473.tif 000012
【図１１】
2014223473.tif 000013
【図１２】
2014223473.tif 000014
【図１３】
2014223473.tif 000015
【図１４】
2014223473.tif 000016
【図１５】
2014223473.tif 000017
【図１６】
2014223473.tif 000018
【図１７】
2014223473.tif 000019
【図１８】
2014223473.tif 000020
【図１９】
2014223473.tif 000021